(57)【要約】    【課題】  本発明の課題は、追加部品を必要とすることなく、見栄え良く、かつ安価にフロアプレート下への水侵入を防止できるとともに、フロア下からの騒音の漏れを防止することが可能な作業車両を提供することにある。    【解決手段】  本発明に関わる作業車両は、車両本体１Ｈとその前部に装備される作業装置２と車両本体１Ｈ内のダッシュボード１１を覆って立設されるダッシュボードカバー１２と該ダッシュボードカバー１２手前に配設されるフロアプレート１３と該フロアプレート１３上に敷かれるフロアマット１４とを備える作業車両１であって、ダッシュボードカバー１２に、フロアプレート１３の上面に揃えた高さをもって該フロアプレート１３側に張り出したマット支持部１２oを一体に成型し、フロアマット１４を、フロアプレート１３およびダッシュボードカバー１２のマット支持部１２o上に載せて配設している。    【選択図】  図３
2008062793.tif 000002
【特許請求の範囲】
【請求項１】
車両本体とその前部に装備される作業装置と前記車両本体内のダッシュボードを覆って立設されるダッシュボードカバーと該ダッシュボードカバー手前に配設されるフロアプレートと該フロアプレート上に敷かれるフロアマットとを備える作業車両であって、
前記ダッシュボードカバーに、前記フロアプレートの上面に揃えた高さをもって該フロアプレート側に張り出したマット支持部を一体に成型し、
前記フロアマットを、前記フロアプレートおよび前記ダッシュボードカバーのマット支持部上に載せて配設した
ことを特徴とする作業車両。
【請求項２】
前記ダッシュボードカバーのマット支持部を、前記フロアプレートの幅全域に亘って形成し、
前記フロアマットを、前記ダッシュボードカバーのマット支持部および前記フロアプレートの幅全域に亘って載せて配設し、前記ダッシュボードカバーおよび前記フロアプレート間の空隙を閉塞した
ことを特徴とする請求項１記載の作業車両。
【発明の詳細な説明】
【技術分野】
【０００１】
本発明は、ダッシュボードカバーと操作フロアのフロアプレート間に形成される空隙を塞ぐ構造を有する作業車両に関する。
【背景技術】
【０００２】
作業車両であるフォークリフト１００は、その側面図の図４に示すように、車両本体１０１の前方に作業装置１０２が装備されている。
【０００３】
フォークリフト１００は、作業装置１０２に設置されるフォーク１０２ｆを、マスト１０２ｍに沿って上下方向に昇降動作させるとともにチルト動作させることにより、荷ｗの運搬等の各種作業を行なう。
【０００４】
フォークリフト１００の操作エリア１０３内のハンドル１０３ｈ近傍には、車内の計器類などが配設される前部分に鉄製のダッシュボード１０４が配設されており、ダッシュボード１０４を覆って樹脂製のダッシュボードカバー１０５が立設されている。
【０００５】
また、オペレータが操作エリア１０３内の運転席１０３ｓに坐った場合、足元の操作フロアＦの床面を成すフロアプレート１０６上には、ゴム製のフロアマット１０７が敷かれている。
【０００６】
図５(ａ)は、図４の運転席１０３ｓ側から見たダッシュボードカバー１０５、フロアマット１０７、およびフロアプレート１０６の配置構成を示した斜視図であり、これら以外の構成部品は省略して示している。図６は、図５(ａ)に示すダッシュボードカバー１０５、フロアマット１０７、およびフロアプレート１０６の配置を示したＡ方向矢視概念図である。
【０００７】
図５(ａ)、図６に示すように、フロア上の水が、ダッシュボードカバー１０５およびフロアプレート１０６間の空隙ａを通じて、フロアプレート１０６下に侵入することを防止するため、フロアプレート１０６上に敷かれるフロアマット１０７の前端部１０７ｍをダッシュボードカバー１０５の下部にもたれさせて空隙ａを塞ぐか、或いは、図７に示すように、フロアマット前端部１０７ｍをダッシュボード１０４の下部にもたれさせて空隙ａを塞いでいる。
【０００８】
なお、出願人が把握している本願に係る文献公知発明はない。
【発明の開示】
【発明が解決しようとする課題】
【０００９】
ところで、図６、図７に示すように、フロア下への水侵入防止のため、フロアマット１０７の前端部１０７ｍをダッシュボードカバー１０５下部またはダッシュボード１０４下部にもたれさせる方策は、フロアマット１０７を外し再組みする場合、フロアマット前端部１０７ｍの処理に時間がかかるという不都合があり、また、見栄えも悪い。
【００１０】
また、図５(ａ)に示すように、ダッシュボードカバー１０５下部に屈曲部１０５ｃがある場合、フロアマット１０７の剛さから、もたれさせたフロアマット前端部１０７ｍが該屈曲部１０５ｃにぴったり沿い難く該屈曲部１０５ｃとフロアマット前端部１０７ｍ間に隙間ｃが開いたり、また、フロアマット１０７のズレに起因して該屈曲部１０５ｃとフロアマット前端部１０７ｍ間に隙間ｃが開くことがある。
【００１１】
そのため、この隙間ｃを通じてフロア下に水が侵入する、また、フロア下からの騒音が隙間ｃを通じてフロア上に漏れるという問題がある。
【００１２】
そこで、フロアマット前端部１０７ｍが該屈曲部１０５ｃに沿うように、図５(ｂ)に示すように、屈曲部１０５ｃ近傍のフロアマット前端部１０７ｍにスリットｌを入れる方法等があるが、このスリットｌを通じてフロア下に水が侵入したり、フロア下からの騒音がスリットｌを通じてフロア上に漏れる等の不都合が生じる。
【００１３】
本発明は上記実状に鑑み、追加部品を必要とすることなく、見栄え良く、かつ安価にフロア下への水侵入を防止できるとともに、フロア下からの騒音の漏れを防止することが可能な作業車両の提供を目的とする。
【課題を解決するための手段】
【００１４】
上記目的を達成するべく、本発明の請求項１に関わる作業車両は、車両本体とその前部に装備される作業装置と前記車両本体内のダッシュボードを覆って立設されるダッシュボードカバーと該ダッシュボードカバー手前に配設されるフロアプレートと該フロアプレート上に敷かれるフロアマットとを備える作業車両であって、前記ダッシュボードカバーに、前記フロアプレートの上面に揃えた高さをもって該フロアプレート側に張り出したマット支持部を一体に成型し、前記フロアマットを、前記フロアプレートおよび前記ダッシュボードカバーのマット支持部上に載せて配設している。
【００１５】
本発明の請求項２に関わる作業車両は、請求項１の作業車両において、前記ダッシュボードカバーのマット支持部を、前記フロアプレートの幅全域に亘って形成し、前記フロアマットを、前記ダッシュボードカバーのマット支持部および前記フロアプレートの幅全域に亘って載せて配設し、前記ダッシュボードカバーおよび前記フロアプレート間の空隙を閉塞している。
【発明の効果】
【００１６】
以上、詳述した如く、本発明の請求項１に関わる作業車両は、ダッシュボードカバーに、フロアプレートの上面に揃えた高さをもって該フロアプレート側に張り出したマット支持部を一体に成型し、フロアマットを、前記フロアプレートおよび前記ダッシュボードカバーのマット支持部上に載せて配設したので、追加部品および調整作業を必要とすることなく低コストの構成で、ダッシュボードカバー、フロアプレート間の空隙を埋めることができ、フロア下への水の侵入を防止できる。
【００１７】
また、フロアマットをダッシュボードカバーにもたせかけない構成であるから、フロアマットの再組み時にフロアマット前端部の処理に手間がかかることはなく、かつ見栄えも良い。
【００１８】
本発明の請求項２に関わる作業車両は、ダッシュボードカバーのマット支持部を、フロアプレートの幅全域に亘って形成し、フロアマットを、前記ダッシュボードカバーのマット支持部および前記フロアプレートの幅全域に亘って載せて配設し、前記ダッシュボードカバーおよび前記フロアプレート間の空隙を閉塞したので、フロア下からの騒音の漏れを可及的に防止できる。
【発明を実施するための最良の形態】
【００１９】
以下、本発明の実施形態について添付図面を参照して説明する。
【００２０】
本発明を適用した作業車両の一態様であるフォークリフト１は、その側面図の図１に示すように、車両本体１Ｈの前方に作業装置２が装備されている。
【００２１】
フォークリフト１は、作業装置２に設置されるフォーク３を、マスト５に沿ってリフトシリンダ４によって上下方向に昇降動作させるとともにチルトシリンダ６によって前傾、後傾等のチルト動作をさせ、また、車両本体１Ｈを走行させることにより、荷ｗの運搬作業等を行う。
【００２２】
フォークリフト１の運転は、オペレータが操作エリア１ａ内の運転席７に坐り、ハンドル８、操作レバー９、およびアクセルペダル１０等を適宜、操作することにより行なわれる。
【００２３】
上記ハンドル８近傍の車内の計器類が配設される前部分には、鉄製のダッシュボード１１が配設されており、このダッシュボード１１を覆って樹脂製のダッシュボードカバー１２が立設されている。
【００２４】
また、オペレータが操作エリア１ａ内の運転席７に坐った場合、足元の操作フロアＦの床面であるフロアプレート１３上には、ゴム製のフロアマット１４が敷かれている。
【００２５】
図２は、図１において運転席７側から見たダッシュボードカバー１２、フロアマット１４、およびフロアプレート１３の配置構成を示した斜視図であり、それ以外の構成部品は省略して示している。図３は、図２に示すダッシュボードカバー１２、フロアマット１４、およびフロアプレート１３の配置を示したＢ方向矢視概念図である。
【００２６】
上記フロアプレート１３は、図２、図３に示すように、フロアマット１４を洗った水等が、下方に配設される内蔵機器、油圧配管等にかかることを防止すべく、水平のフロアプレート主要部１３ｓに対して前方に向って上方に傾斜するフロアプレート前傾部１３ｋを有して形成されている。
【００２７】
ダッシュボードカバー１２は、樹脂成型品であり、その下端部にマット支持部１２oを手前側に、すなわちフロアプレート１３側に、フロアプレート１３上面に沿うように高さを揃えてフロアプレート１３の幅ｓ全域に亘って張り出した形状に成型されている。
【００２８】
フロアマット１４は、図２、図３に示すように、ダッシュボードカバー１２のマット支持部１２oおよびフロアプレート１３の幅ｓ全域に亘って載せられ配設されている。
【００２９】
ここで、ダッシュボードカバー１２のマット支持部１２oの上面が、フロアプレート１３上面に沿うように高さを揃えて構成されるので、これらの上面で一平面が形成されてフロアマット１４をダッシュボードカバー１２のマット支持部１２oの上面およびフロアプレート１３上面に密接して敷くことができ、ダッシュボードカバー１２およびフロアプレート１３間に形成される空隙ａ1は、フロアマット１４により完全に閉塞されている。
【００３０】
なお、上述の実施例においては、ダッシュボードカバー１２の下端部にマット支持部１２oを形成した場合を例示したが、ダッシュボードカバー１２とフロアプレート１３との位置関係によっては、例えば、図３の二点鎖線で示すようにダッシュボードカバー１２がフロアプレート１３の下方に延在する場合には、マット支持部１２oはダッシュボードカバー１２の下端部以外の箇所に設けられることになる。
【００３１】
このように、マット支持部１２oは、必ずしもダッシュボードカバー１２の下端部に設けることに限定されるものでなく、ダッシュボードカバー１２における下端部以外の箇所にマット支持部１２oを設ける場合もある。
【００３２】
上記構成によれば、ダッシュボードカバー１２に、オペレータ側、すなわちフロアプレート１３側に張り出したマット支持部１２oが一体に成型されるので、追加部品を必要とすることなく容易に製造できる。
【００３３】
また、ダッシュボードカバー１２、フロアプレート１３間の空隙ａ1をフロアマット１４により塞ぐ構成なので、製造工程において組立調整の作業が必要でなく、簡便な構成であり、生産コストが低い。
【００３４】
また、ダッシュボードカバー１２、フロアプレート１３間の空隙ａ1をフロアマット１４により塞ぐので、ダッシュボードカバー１２、フロアプレート１３間の空隙ａ1から水が侵入して、ダッシュボードカバー１２およびフロアプレート１３下方の内蔵部品に水がかかることを防止できる。
【００３５】
また、ダッシュボードカバー１２に、フロアプレート１３の幅ｓ全域に亘ってオペレータ側に張り出させたマット支持部１２oを形成し、フロアマット１４を該マット支持部１２oおよびフロアプレート１３の幅ｓ全域に亘って載せるので、図２、図３に示すように、ダッシュボードカバー１２およびフロアプレート１３間に形成される空隙ａ1を可及的に閉塞でき、フロア下からの騒音の漏れを遮断することが可能である。
【００３６】
また、図３に示すように、フロアマット１４をダッシュボードカバー１２にもたせかける構成でないため、フロアマット１４を外して再組みする場合にもフロアマット１４前端部の処理に時間を要することがなく、また、見栄えも良好である。
【００３７】
従って、本発明によれば、追加部品を必要とすることなく低コストで、かつ見栄え良く、フロアプレート下への水侵入を防止できるとともに、フロア下からの騒音の漏れを防止することが可能な作業車両を実現できる。
【図面の簡単な説明】
【００３８】
【図１】本発明の実施例に関わるフォークリフトを示す側面図。
【図２】実施例のフォークリフトにおいて運転席側から見たダッシュボードカバー、フロアマット、およびフロアプレートの配置構成を示した斜視図。
【図３】図２に示すダッシュボードカバー、フロアマット、およびフロアプレートの配置構成を示したＢ方向矢視概念図。
【図４】従来のフォークリフトを示す側面図。
【図５】(ａ)および(ｂ)は、従来のフォークリフトにおいて運転席側から見た、ダッシュボードカバー、フロアマット、およびフロアプレートの配置構成を示した斜視図、および従来のダッシュボードカバー下部の屈曲部近くのフロアマット前端部にスリットを入れた場合を示した拡大斜視図。
【図６】図５(ａ)に示すダッシュボードカバー、フロアマット、およびフロアプレートの配置構成を示したＡ方向矢視概念図。
【図７】図６に示すダッシュボードカバー、フロアマット、およびフロアプレートの配置構成の代替例を示すＡ方向矢視概念図。
【符号の説明】
【００３９】
１…フォークリフト(作業車両)、
１Ｈ…車両本体、
２…作業装置、
１１…ダッシュボード、
１２…ダッシュボードカバー、
１２o…マット支持部、
１３…フロアプレート、
１４…フロアマット、
ａ1…空隙、
ｓ…フロアプレートの幅。
【図１】
2008062793.tif 000003
【図２】
2008062793.tif 000004
【図３】
2008062793.tif 000005
【図４】
2008062793.tif 000006
【図５】
2008062793.tif 000007
【図６】
2008062793.tif 000008
【図７】
2008062793.tif 000009